(57)【要約】【課題】消灯時において他者から発光部を視認されにくく、他者が発光するとは予想しなかった位置を発光させることができる灯具を提供する。【解決手段】入射面１３Ｍと出射面１３Ｎと導光部１３Ｌとを有する導光体１３Ａと、入射面と対向する位置に設けられた光源（ＬＥＤ２０）と、導光体が取り付けられる対象部材１１Ａ、１２Ａと、を有する灯具１０Ａであり、導光体の出射面は、対象部材の表側から見える位置であって、対象部材の表側に露出する位置あるいは対象部材の裏側の位置、に配置されており、対象部材の表側から見た出射面が、周囲の色彩と同じ色彩に見えるように、対象部材の裏側に位置する出射面の周囲の導光部の表面は塗装または不透明部材（３０）にて覆われており、対象部材は不透明である部材で成形されている、あるいは出射面の周囲の対象部材の裏側は塗装または不透明部材にて覆われており、導光体と対象部材とが一体成形されている。【選択図】図１
2014175204.tif 000002
【特許請求の範囲】
【請求項１】
光源からの光が入射される入射面と、前記入射面から入射された光を出射する出射面と、前記入射面から入射された光を前記出射面へと導く導光部と、を有する導光体と、
前記入射面と対向する位置に設けられた前記光源と、
前記導光体が取り付けられる対象部材と、を有する灯具において、
前記導光体の前記出射面は、対象部材の表側から見える位置であって、対象部材の表側に露出する位置あるいは対象部材の裏側の位置、に配置されており、
対象部材の表側から見た前記出射面が、周囲の色彩と同じ色彩に見えるように、前記対象部材の裏側に位置する前記出射面の周囲の前記導光部の表面は、塗装または不透明部材にて覆われており、
前記対象部材は不透明である部材で成形されている、あるいは前記出射面の周囲の対象部材の裏側は前記塗装または前記不透明部材にて覆われており、
前記導光体と対象部材とが一体成形されている、
灯具。
【請求項２】
請求項１に記載の灯具であって、
前記導光体の前記導光部における前記入射面から前記出射面に至る形状は、屈曲した形状に形成されている、
灯具。
【請求項３】
請求項１または２に記載の灯具であって、
前記導光体の前記出射面は、対象部材の表側における最も外側となる縁部に配置されている、
灯具。
【請求項４】
請求項１〜３のいずれか一項に記載の灯具であって、
前記導光体の前記入射面には、前記入射面から前記導光部に入射された光を複数方向に屈折させるための表面処理が施されている、
灯具。
【請求項５】
請求項１〜４のいずれか一項に記載の灯具であって、
前記導光体の前記出射面が対象部材の表側に露出する位置に配置されている場合、対象部材は透明または不透明な樹脂またはガラスであり、
前記導光体の前記出射面が対象部材の裏側の位置に配置されている場合、対象部材は透明な樹脂またはガラスである、
灯具。
【発明の詳細な説明】
【技術分野】
【０００１】
本発明は、樹脂やガラス等の対象部材と、光源となるＬＥＤと、入射面から入射された光を出射面へと導く導光体と、を有する灯具に関する。
【背景技術】
【０００２】
例えば近年の車両の中には、差別化等の目的で、斬新な立体感の有る点灯状態を有する灯具を備えたものがある。
例えば特許文献１に記載された従来技術には、図６（Ａ）に示すように、灯具１１０の前面に配置されたレンズ１１０Ａ、灯具１１０の底面及び側面を構成しているボディ１１０Ｂ、灯具１１０内に収容されているＬＥＤ１１１（発光ダイオード）、導光体１１４、遮熱板１１５、白熱電球１１６、を備えた車両用信号灯具が開示されている。この灯具１１０では、ＬＥＤ１１１から放射される光Ｌは、第１の一次反射面１１２Ａにて円周方向に反射され、第２の一次反射面１１２Ｂにて斜め後方に反射される。そして円周方向に反射された光Ｌは、第１の二次反射面１１３Ａにてレンズ１１０Ａに向かう前方に反射され、斜め後方に反射された光Ｌは、第２の二次反射面１１３Ｂにてレンズ１１０Ａに向かう前方に反射される。そして、第１及び第２の二次反射面にて前方に反射された光Ｌによって、立体感の有る点灯状態を実現している。
また例えば特許文献２に記載された従来技術には、図６（Ｂ）に示すように、車両のリアウィンド１２０の内側にホログラム１２８を貼り、ホログラム１２８の裏側からリアウィンド１２０の外側に向かう光源１２１からの光Ｌを導光する導光体１２４を備えた車両用警告灯が開示されている。また、ホログラム１２８の周囲は、黒セラミック隠蔽層１２６にて覆われており、ホログラム１２８及びホログラムの周囲の黒セラミック隠蔽層１２６は、枠体１２７にて覆われている。そして枠体１２７は、車体１２３に固定されている。
【先行技術文献】
【特許文献】
【０００３】
【特許文献１】特開２００２−２１６５１０号公報
【特許文献２】特開平７−１１２６４０号公報
【発明の概要】
【発明が解決しようとする課題】
【０００４】
近年に無い斬新な灯具として、消灯時において他者から発光部であると視認されない位置を突然発光させる（他者が、まさか発光するとは予想もしていなかった位置を突然発光させる）という、従来には無い灯具の要望がある。
しかし、特許文献１に記載された従来技術では、レンズ１１０Ａが明らかな凸レンズまたは凹レンズであれば、当該レンズ１１０Ａを見た他者は、消灯時であっても、その位置が発光することを容易に予想できてしまう。またレンズ１１０Ａが、凸レンズまたは凹レンズでなく単純な平面状の透明体であっても、他者は、透明体のレンズ１１０Ａの裏側にある導光体１１４及びＬＥＤ１１１を視認できるので、消灯時であっても、その位置が発光することを容易に予想できてしまう。
また特許文献２に記載された従来技術では、他者は、リアウィンド１２０の裏側に配置されたホログラム１２８を視認可能であり、ホログラムの周囲が黒セラミック隠蔽層で囲まれているので、消灯時であっても、黒セラミック隠蔽層で囲まれた位置が発光することを容易に予想できてしまう。
本発明は、このような点に鑑みて創案されたものであり、消灯時において他者から発光部を視認されにくく、他者が発光するとは予想しなかった位置を発光させることができる灯具を提供することを課題とする。
【課題を解決するための手段】
【０００５】
上記課題を解決するため、本発明に係る灯具は次の手段をとる。
まず、本発明の第１の発明は、光源からの光が入射される入射面と、前記入射面から入射された光を出射する出射面と、前記入射面から入射された光を前記出射面へと導く導光部と、を有する導光体と、前記入射面と対向する位置に設けられた前記光源と、前記導光体が取り付けられる対象部材と、を有する灯具である。
そして、前記導光体の前記出射面は、対象部材の表側から見える位置であって、対象部材の表側に露出する位置あるいは対象部材の裏側の位置、に配置されており、対象部材の表側から見た前記出射面が、周囲の色彩と同じ色彩に見えるように、前記対象部材の裏側に位置する前記出射面の周囲の前記導光部の表面は、塗装または不透明部材にて覆われており、前記対象部材は不透明である部材で成形されている、あるいは前記出射面の周囲の対象部材の裏側は前記塗装または前記不透明部材にて覆われており、前記導光体と対象部材とが一体成形されている。
【０００６】
この第１の発明では、導光体の出射面は、対象部材の表側に露出する位置または対象部材の裏側の位置に配置されているが、出射面は、周囲の色彩と同じ色彩に見えるように、対象部材の裏側に位置する出射面の周囲の導光部の表面は、塗装または不透明部材にて覆われており、対象部材は不透明である部材で成形されている、あるいは出射面の周囲の対象部材の裏側は前記塗装または前記不透明部材にて覆われている。また導光体と対象部材とが一体成形されているので、導光体と対象部材との境界がわかりにくい構造としている。
これにより、消灯時において他者から発光部を視認されにくく、他者が発光するとは予想しなかった位置を発光させることができる灯具を実現することができる。
【０００７】
次に、本発明の第２の発明は、上記第１の発明に係る灯具であって、前記導光体の前記導光部における前記入射面から前記出射面に至る形状は、屈曲した形状に形成されている。
【０００８】
この第２の発明では、導光部を屈曲させることで、確実に他者から直接的に見えない位置に光源を配置することができる等、光源の配置の自由度を上げることができる。
【０００９】
次に、本発明の第３の発明は、上記第１の発明または第２の発明に係る灯具であって、前記導光体の前記出射面は、対象部材の表側における最も外側となる縁部に配置されている。
【００１０】
この第３の発明では、対象部材の表側における最も外側となる縁部に、出射面が配置されている。
これにより、例えば図６（Ａ）に示すような従来の灯具では発光させることができなかった最も外側の縁部（図６（Ａ）におけるボディ１１０Ｂの縁部）を発光させることができるので、他者が発光するとは予想しなかった位置を発光させることができる。
【００１１】
次に、本発明の第４の発明は、上記第１の発明〜第３の発明のいずれか１つに係る灯具であって、前記導光体の前記入射面には、前記入射面から前記導光部に入射された光を複数方向に屈折させるための表面処理が施されている。
【００１２】
この第４の発明では、導光体の入射面には、光を複数方向に屈折させる表面処理が施されている。
これにより、入射面にて光を複数方向に拡散させ、拡散された光を出射面から出射することで、出射面の全体を均一に発光させることができる。
【００１３】
次に、本発明の第５の発明は、上記第１の発明〜第４の発明のいずれか１つに係る灯具であって、前記導光体の前記出射面が対象部材の表側に露出する位置に配置されている場合、対象部材は透明または不透明な樹脂またはガラスであり、前記導光体の前記出射面が対象部材の裏側の位置に配置されている場合、対象部材は透明な樹脂またはガラスである。
【００１４】
この第５の発明では、出射面が対象部材の表側に露出している場合、対象部材は透明または不透明な樹脂またはガラスであり、出射面が対象部材の裏側に配置されて表側に露出していない場合、対象部材は透明な樹脂またはガラスである。
これにより、出射面が対象部材の表側に露出していない場合であっても、出射面からの光を対象部材の表側に透過させることができる。
【図面の簡単な説明】
【００１５】
【図１】（Ａ）は第１の実施の形態の灯具の外観及び灯具を構成する各要素の斜視図を示しており、（Ｂ）は（Ａ）におけるＡ１−Ａ１断面図を示しており、（Ｃ）は（Ｂ）のＡ２方向から見た図を示している。
【図２】（Ａ）は第２の実施の形態の灯具の外観及び灯具を構成する各要素の斜視図を示しており、（Ｂ）は（Ａ）におけるＢ１−Ｂ１断面図を示しており、（Ｃ）は（Ｂ）のＢ２方向から見た図を示している。
【図３】対象部材の裏側に導光体の出射面を配置した例を説明する図である。
【図４】導光部を屈曲させる角度を変更した例を説明する図である。
【図５】本発明の灯具を、車両のリアウィンドに適用した例を説明する図である。
【図６】従来の灯具の構造を説明する図である。
【発明を実施するための形態】
【００１６】
以下に本発明を実施するための形態を図面を用いて説明する。本発明は、消灯時において他者から発光部を視認されにくく、発光するとは予想しなかった位置を発光させることができる灯具である。
【００１７】
●［第１の実施の形態の灯具１０Ａの構造（図１）］
図１（Ａ）〜（Ｃ）に示すように、第１の実施の形態の灯具１０Ａは、導光体１３Ａと、導光体１３Ａが取り付けられる対象部材１１Ａ、１２Ａ（発光部を設けたい部材）と、ＬＥＤ２０（発光ダイオードであり、光源に相当）と、を有している。
なお第１の実施の形態の灯具１０Ａは、導光体１３Ａの出射面１３Ｎを、対象部材１１Ａ、１２Ａの表側に露出する位置に配置した例を示している。
本実施の形態の例では、発光部を設けたい対象部材は、板状の対象部材１２Ａと、対象部材１２Ａを収容可能な空洞部１１Ｋを有する対象部材１１Ａとで構成されている。
対象部材１１Ａ、１２Ａは、透明または不透明な、樹脂またはガラスである。
そして図１（Ｂ）、（Ｃ）に示すように、対象部材１１Ａ、１２Ａの境界部には、導光体１３Ａの出射面１３Ｎの側の縁部が挟み込まれており、出射面１３Ｎが対象部材１１Ａ、１２Ａの表側に露出するように配置されている。
そして導光体１３Ａと対象部材１１Ａ、１２Ａは、二色成形等にて一体成形されている。一体成形することで、比較的容易に灯具１０Ａを製造することが可能であり、導光体１３Ａと対象部材１１Ａ、１２Ａとの境界も視認されにくくなる。
【００１８】
導光体１３Ａは、例えば透明な樹脂であり、光源となるＬＥＤ２０からの光が入射される入射面１３Ｍと、入射面１３Ｍから入射された光を出射する出射面１３Ｎと、入射面１３Ｍから入射された光を出射面１３Ｎへと導く導光部１３Ｌと、を有している。
ＬＥＤ２０は、入射面１３Ｍと対向する位置に配置され、入射面１３Ｍのサイズに応じて単数または複数が配置される。
なお導光体１３Ａは、図１（Ｃ）に示すように、対象部材１１Ａ、１２Ａの表側の視点Ｅｙの方向から出射面１３Ｎを見た場合に、出射面１３Ｎの先にＬＥＤ２０が見えないように、屈曲した形状を有しており、入射面１３Ｍ及びＬＥＤ２０は有色部３０の裏側に回り込んだ位置に配置されている。
【００１９】
さらに図１（Ｃ）に示すように、導光部１３Ｌの表面及び対象部材１１Ａ、１２Ａの裏側であって、出射面１３Ｎの周囲は、塗装または不透明部材（不透明な樹脂等）による有色部３０にて覆われている。なお有色部３０の色彩は、例えば黒色であるが、黒色に限定されず種々の色彩としてもよい。なお図１（Ａ）及び（Ｂ）では有色部３０の記載を省略している。また有色部３０が不透明部材の場合、有色部３０は、導光体１３Ａ及び対象部材１１Ａ、１２Ａと一体成形されていてもよいし、一体成形されていなくてもよい。
対象部材１１Ａ、１２Ａが不透明な樹脂またはガラスである場合、有色部３０の色彩を、対象部材１１Ａ、１２Ａの色彩と同じ色彩にすることが好ましい。また、この場合、有色部３０は、導光部１３Ｌの表面のみを覆うようにしてもよい。
以上より、対象部材１１Ａの裏側に位置する出射面１３Ｎの周囲の導光部１３Ｌの表面は、塗装または不透明部材にて覆われている。また、対象部材１１Ａは不透明である部材で成形されている、あるいは出射面１３Ｎの周囲の対象部材１１Ａの裏側は、導光部における出射面の周囲の表面を覆っている塗装または不透明部材にて覆われている。なお、対象部材１１Ａが不透明である部材で成形されている場合、不透明である部材は、有色部３０にて用いられる不透明部材と同じ部材であってもよいし、異なる部材であってもよい。
対象部材１１Ａ、１２Ａが透明な樹脂またはガラスである場合、有色部３０の色彩は、どのような色彩であってもよいが、黒色にすると、出射面１３Ｎをより視認されにくくすることができるので好ましい。
【００２０】
以上に説明したように、第１の実施の形態では、導光体１３Ａと対象部材１１Ａ、１２Ａとを一体成形して境界部を視認されにくくしている。また、有色部３０を設けることで、表側の視点Ｅｙの方向から出射面１３Ｎを見た場合に、出射面１３Ｎの奥に見える有色部３０の色彩が、出射面１３Ｎの周囲の色彩と同じ色彩に見えるようにしているので、出射面１３Ｎの存在をさらに視認されにくくすることができる。
これにより、ＬＥＤ２０の消灯時においては、対象部材の表側から出射面１３Ｎ（発光部）を視認されにくく、発光するとは予想しなかった位置を発光させることができる。
なお図１の例では、２つの対象部材で導光体１３Ａを挟み込む構造の例を示したが、導光体は環状に限定されず、１つの対象部材にスリットを形成し、スリットに導光体を差し込んで出射面を露出させるように構成してもよい。
また、導光体１３Ａの導光部１３Ｌを屈曲した形状（入射面１３Ｍから出射面１３Ｎに至る形状（経路）が屈曲した形状）としているので、視点Ｅｙから直接視認できない位置への配置を所望する光源であるＬＥＤ２０について、配置に自由度を持たせることができる。
【００２１】
●［第２の実施の形態の灯具１０Ｂの構造（図２）］
図２（Ａ）〜（Ｃ）に示すように、第２の実施の形態の灯具１０Ｂは、図１に示す第１の実施の形態に対して、導光体１３Ｂの出射面１３Ｎを、対象部材１２Ｂにおける表側の最も外側の縁部に配置している点が異なる。
以下、この相違点について主に説明する。
灯具１０Ｂは、導光体１３Ｂと、導光体１３Ｂが取り付けられる対象部材１２Ｂ、１４Ｂ（発光部を設けたい部材）と、光源となるＬＥＤ２０と、を有している。
本実施の形態の例では、発光部を設けたい対象部材は、板状の対象部材１２Ｂと、空洞部１１Ｋを有する対象部材１４Ｂとで構成されている。
図２（Ｂ）及び（Ｃ）に示すように、導光体１３Ｂの出射面１３Ｎに隣接する導光体１３Ｂの内壁部に対象部材１２Ｂの端面が接触するように導光体１３Ｂと対象部材１２Ｂとが一体成形されており、導光体１３Ｂと対象部材１２Ｂとの境界が視認されにくくされている。なお出射面１３Ｎは、対象部材１２Ｂの表側に露出するように配置されている。
また、導光体１３Ｂの傾斜面１３Ｐと対象部材１４Ｂの縁部の傾斜面１４Ｐが接触するように導光体１３Ｂと対象部材１４Ｂとが一体成形されている。
【００２２】
導光体１３Ｂは、図２（Ｃ）に示すように、対象部材１２Ｂの表側の視点Ｅｙの方向から出射面１３Ｎを見た場合に、出射面１３Ｎの先にＬＥＤ２０が見えないように、屈曲した形状を有しており、入射面１３Ｍ及びＬＥＤ２０は有色部３０の裏側に回り込んだ位置に配置されている。
さらに図２（Ｃ）に示すように、導光部１３Ｌの表面及び対象部材１２Ｂ、１４Ｂの裏側であって、出射面１３Ｎの周囲は、塗装または不透明部材による有色部３０にて覆われている。なお有色部３０の色彩は、第１の実施の形態と同様に、黒色に限定されず種々の色彩としてもよい。なお図２（Ａ）及び（Ｂ）では有色部３０の記載を省略している。
対象部材１２Ｂ、１４Ｂが不透明な樹脂またはガラスである場合、有色部３０の色彩を、対象部材１２Ｂ、１４Ｂの色彩と同じ色彩にすることが好ましい。また、この場合、有色部３０は、導光部１３Ｌの表面のみを覆うようにしてもよい。
以上より、対象部材１１Ａの裏側に位置する出射面１３Ｎの周囲の導光部１３Ｌの表面は、塗装または不透明部材にて覆われている。また、対象部材１１Ａは不透明である部材で成形されている、あるいは出射面１３Ｎの周囲の対象部材１１Ａの裏側は、導光部における出射面の周囲の表面を覆っている塗装または不透明部材にて覆われている。なお、対象部材１１Ａが不透明である部材で成形されている場合、不透明である部材は、有色部３０にて用いられる不透明部材と同じ部材であってもよいし、異なる部材であってもよい。
対象部材１２Ｂ、１４Ｂが透明な樹脂またはガラスである場合、有色部３０の色彩は、どのような色彩であってもよいが、黒色にすると、出射面１３Ｎをより視認されにくくすることができるので好ましい。
【００２３】
以上に説明したように、第２の実施の形態では、第１の実施の形態と同様に、導光体１３Ｂと対象部材１２Ｂとの境界を、一体成形にて視認されにくくしている。また第１の実施の形態と同様に、有色部３０を設けることで、出射面１３Ｎの存在をさらに視認されにくくすることができる。
さらに第２の実施の形態では、出射面１３Ｎの位置を、対象部材１２Ｂの表側における最も外側の縁部に配置することで、図６（Ａ）に示す灯具のように従来では発光させることができなかった領域に発光部を配置することができる。
これにより、ＬＥＤ２０の消灯時においては、対象部材の表側から出射面１３Ｎ（発光部）を視認されにくく、発光するとは予想しなかった位置を発光させることができる。
【００２４】
●［導光体の出射面を対象部材の裏側に配置した例（図３）］
図１及び図２を用いて説明した第１及び第２の実施の形態では、出射面１３Ｎを対象部材の表側に露出するように配置したが、対象部材が透明であれば、対象部材の裏側に出射面１３Ｎを配置してもよい。この場合、対象部材の表側から出射面１３Ｎ（発光部）を、さらに視認されにくくすることができる。
以下では、透明な樹脂またはガラスの対象部材の裏側の位置に、導光体の出射面１３Ｎを配置した灯具の例を説明する。
【００２５】
図３（Ａ）は、透明な樹脂またはガラスの対象部材１１Ｃの最も外側の縁部ではない位置の裏側に、導光体１３Ｃの出射面１３Ｎが接触するように、対象部材１１Ｃと導光体１３Ｃとを一体成形した灯具１０Ｃの断面図を示している。なお有色部３０については第１の実施の形態と同様であるので説明を省略する。
対象部材１１Ｃの表側の視点Ｅｙの方向から出射面１３Ｎを見た場合、入射面１３Ｍ及びＬＥＤ２０が有色部３０の裏側に回り込んだ位置に配置されているのでＬＥＤ２０は見えない。また、出射面１３Ｎが対象部材の表側に露出されておらず、有色部３０の色彩が見えるだけであるので、出射面１３Ｎの存在をより一層、視認されにくくすることができる。
【００２６】
図３（Ｂ）は、透明な樹脂またはガラスの対象部材１２Ｃの最も外側の縁部の裏側に、導光体１３Ｄの出射面１３Ｎが接触するように、対象部材１２Ｃと導光体１３Ｄとを一体成形した灯具１０Ｄの断面図を示している。なお、導光体１３Ｄと対象部材１４Ｂは、第２の実施の形態と同様に一体成形されている。この場合の対象部材１４Ｂは、透明な樹脂またはガラスでもよいが、不透明な樹脂またはガラスでもよい。なお有色部３０については第２の実施の形態と同様であるので説明を省略する。
対象部材１２Ｃの表側の視点Ｅｙの方向から出射面１３Ｎを見た場合、入射面１３Ｍ及びＬＥＤ２０が有色部３０の裏側に回り込んだ位置に配置されているのでＬＥＤ２０は見えない。また、出射面１３Ｎが対象部材の表側に露出されておらず、有色部３０の色彩や対象部材１４Ｂの色彩が見えるだけであるので、出射面１３Ｎの存在をより一層、視認されにくくすることができる。
【００２７】
図３（Ｃ）の断面図にて示す灯具１０Ｅは、図３（Ａ）の断面図にて示す灯具１０Ｃに対して、屈曲した形状でなく入射面１３Ｍから出射面１３Ｎまでの導光部１３Ｌが直線状の導光体１３Ｅを、対象部材１１Ｃに対して傾斜角度θ１にて傾斜させて一体成形している点が異なる。
また、ＬＥＤ２０の配置及び入射面１３Ｍの角度を調整することでＬＥＤ２０から放射される光Ｌを視点Ｅｙに合わせている。
この場合も、対象部材１１Ｃの表側の視点Ｅｙの方向から出射面１３Ｎを見た場合、入射面１３Ｍ及びＬＥＤ２０が有色部３０の裏側に回り込んだ位置に配置されているのでＬＥＤ２０は見えない。また、出射面１３Ｎが対象部材の表側に露出されておらず、有色部３０の色彩が見えるだけであるので、出射面１３Ｎを視認されにくくすることができる。
【００２８】
図３（Ｄ）の断面図にて示す灯具１０Ｆは、図３（Ｂ）の断面図にて示す灯具１０Ｄに対して、屈曲した形状でなく入射面１３Ｍから出射面１３Ｎまでの導光部１３Ｌが直線状の導光体１３Ｆを、対象部材１２Ｃに対して傾斜角度θ１にて傾斜させて一体成形している点が異なる。
また、ＬＥＤ２０の配置及び入射面１３Ｍの角度を調整することでＬＥＤ２０から放射される光Ｌを視点Ｅｙに合わせている。
この場合も、対象部材１２Ｃの表側の視点Ｅｙの方向から出射面１３Ｎを見た場合、入射面１３Ｍ及びＬＥＤ２０が有色部３０の裏側に回り込んだ位置に配置されているのでＬＥＤ２０は見えない。また、出射面１３Ｎが対象部材の表側に露出されておらず、有色部３０の色彩や対象部材１４Ｃの色彩が見えるだけであるので、出射面１３Ｎを視認されにくくすることができる。
なお、図３（Ｃ）の例に示す導光体１３Ｅの出射面１３Ｎを対象部材１１Ｃの表側に露出させるように構成してもよく、図３（Ｄ）の例に示す導光体１３Ｆの出射面１３Ｎを対象部材１２Ｃの表側に露出させるように構成してもよい。
【００２９】
●［導光部を屈曲させる角度を変更した例（図４）］
図１及び図２を用いて説明した第１及び第２の実施の形態では、入射面１３Ｍから出射面１３Ｎに至る導光部１３Ｌを直角に屈曲させた例を示したが、導光部を屈曲させる角度は直角でなくてもよい。
例えば導光体１３Ａを直角に屈曲させた図１（Ｃ）の断面図にて示す灯具１０Ａに対して、図４（Ａ）の断面図にて示す灯具１０Ｇのように導光体１３Ｇを直角でない角度に屈曲させてもよい。
また導光体１３Ｂを直角に屈曲させた図２（Ｃ）の断面図にて示す灯具１０Ｂに対して、図４（Ｂ）の断面図にて示す灯具１０Ｈのように導光体１３Ｈを直角でない角度に屈曲させてもよい。
これにより、導光体の形状やＬＥＤの配置位置の自由度が増す。
もちろん、図３（Ａ）の断面図にて示す灯具１０Ｃの導光体１３Ｃや、図３（Ｂ）の断面図にて示す灯具１０Ｄの導光体１３Ｄにおける導光部１３Ｌを、直角でない角度に屈曲させてもよい。
【００３０】
また図４（Ｃ）の断面図にて示す灯具１０Ｊは、図４（Ｂ）の断面図にて示す灯具１０Ｈに対して、入射面１３ＭＣに入射された光を複数方向に屈折（拡散）させるためのレンズカット形状や、すりガラス形状にする表面処理が、入射面１３ＭＣに施されている例を示している。
図４（Ｂ）の断面図にて示す灯具１０Ｈでは、入射面１３Ｍに表面処理が施されていないので、他者が表側の視点Ｅｙの方向から出射面１３Ｎから出射された光を見た場合、発光しているＬＥＤ２０が、そのまま見える。つまり、発光しているＬＥＤを、導光体をとおして見ている状態となり、出射面が均一に発光するものではない。
しかし図４（Ｃ）の断面図にて示す灯具１０Ｊでは、入射面１３ＭＣに表面処理が施されて光が拡散されるので、他者が表側の視点Ｅｙの方向から出射面１３Ｎから出射された光を見た場合、出射面１３Ｎの全体が均一に発光しているように見える。
なお、入射面に表面処理を施す処理は、上述した灯具１０Ａ〜１０Ｈのいずれにも適用することができる。
【００３１】
●［本発明の灯具を車両のリアウィンドに適用した例（図５）］
次に図５（Ａ）及び（Ｂ）を用いて、本発明の灯具を車両のリアウィンドに適用した場合について説明する。
この場合、対象部材１１Ｃは透明な樹脂またはガラスの透明体であり、例えば図３（Ａ）に示す構造にて、対象部材１１Ｃの裏側に導光体１３Ｃの出射面１３Ｎを配置して、透明体（対象部材１１Ｃ）と導光体１３Ｃとが二色成形等にて一体成形されている。そして出射面１３Ｎの周囲の導光部の表面、及び出射面１３Ｎの周囲における透明体（対象部材１１Ｃ）の裏側には、有色部３０が設けられている。また図示省略しているが、導光体１３Ｃの入射面に対向する位置にはＬＥＤが配置されている。
この例では、透明体（対象部材１１Ｃ）と一体成形された導光体１３Ｃと有色部３０とＬＥＤにて灯具８０（この場合、リアウィンド）が構成されている。
【００３２】
図５（Ａ）の例は、ＬＥＤが消灯時の場合における灯具８０（リアウィンド）の状態を示している。この場合、灯具８０の表側の方向から灯具８０を見た他者は、灯具８０の有色部３０の位置に、導光体１３Ｃの出射面１３Ｎが配置されていることを視認することは困難であり、特に有色部３０が黒色である場合、出射面１３Ｎを視認することは非常に困難である。従って、他者は、有色部３０の一部が発光すると予想することは非常に困難である。
【００３３】
図５（Ｂ）の例は、ＬＥＤが点灯時の場合における灯具８０（リアウィンド）の状態を示している。ＬＥＤが点灯すると、有色部３０の領域内に配置されている出射面１３Ｎから鮮明な光が発光される。
例えば運転者のブレーキ操作に応じてＬＥＤが点灯するようにすれば、後続車へのブレーキの警告として利用することができる。導光体の入射面に光を拡散する表面処理を施しておけば、出射面１３Ｎの全体を均一に発光させることができるので、より好ましい。
この場合、後続車の運転者は、まさか発光するとは予想すらしていなかった有色部３０の一部から、突然、鮮明な光が発光されるので、非常にインパクトが有り、大きな驚きを与えることが可能であり、後続車へのブレーキの警告として非常に有効である。
【００３４】
このように、本発明の灯具は、消灯時において他者から発光部を視認されにくく、他者が発光するとは予想しなかった位置を（突然）発光させることができる。
また構造も非常にシンプルであり、対象部材と導光体を二色成形等にて一体成形するだけでよく、対象部材の材質も種々の樹脂やガラスを用いることができるので、生産性もよい。
また、出射面の配置位置の自由度が高く、従来では発光させることができなかった、対象部材の最も外側の縁部を発光させることもできる。
従って本発明の灯具は、車両に限らず種々の用途に適用することが可能である。
【００３５】
本発明の灯具は、本実施の形態で説明した構成、構造、形状等に限定されず、本発明の要旨を変更しない範囲で種々の変更、追加、削除が可能である。
また本実施の形態の説明では、光源としてＬＥＤを用いたが、ＬＥＤ以外の光源を利用することもできる。
【符号の説明】
【００３６】
１０Ａ〜１０Ｈ、１０Ｊ、８０    灯具
１１Ａ、１１Ｃ、１２Ａ、１２Ｂ、１２Ｃ、１４Ｂ、１４Ｃ    対象部材
１３Ａ〜１３Ｈ、１３Ｊ    導光体
１３Ｌ    導光部
１３Ｍ    入射面
１３Ｎ    出射面
２０      ＬＥＤ（光源）
３０      有色部
【図１】
2014175204.tif 000003
【図２】
2014175204.tif 000004
【図３】
2014175204.tif 000005
【図４】
2014175204.tif 000006
【図５】
2014175204.tif 000007
【図６】
2014175204.tif 000008